(57)【特許請求の範囲】
【請求項１】
画像読取装置のプラテンガラスに面して開閉可能に取り付けられた原稿カバーの下面側に、複数個の流体クッションが配設され、隣接する流体クッションは流体の移動が可能なパイプで連通接続され、当該パイプは前記原稿カバーの下面近くに配置されていることを特徴とする画像読取装置の原稿カバー。
【請求項２】
前記流体クッションが中央部と両側部との少なくとも三箇所に設けられている請求項１に記載の画像読取装置の原稿カバー。
【請求項３】
中央部に設けた流体クッションの容量を、両側部に設けた流体クッションの容量よりも大きくした請求項２に記載の画像読取装置の原稿カバー。
【発明の詳細な説明】
【０００１】
【発明の属する技術分野】
本発明は、ファクシミリ装置や複写装置等の画像読取装置の原稿カバーに関するものであり、原稿を押さえる部分を流体クッションで構成した技術に関するものである。
【０００２】
【従来の技術】
通常、ファクシミリ装置や複写装置等の画像読取装置の原稿カバーは、その下面側（プラテンガラスに面する側）に原稿を押し付けたときの衝撃を吸収緩和するためのクッションが設けられている。クッションは、ゴム等の弾性材料又はスポンジがよく用いられおり、原稿カバーの下面側の略全面に一定の厚みで設けられている。
【０００３】
【発明が解決しようとする課題】
ところが、前記従来技術では、本等を見開きの状態でプラテンガラス上に配設して原稿カバーを閉じ、画像を読み取らせる場合に、本等の背表紙に相当する中央部分が高くなり、本等の左右端側がスポンジ等のクッションから離れて、該左右端側部分の押し付けが十分になされないことがあった。そのため、本等の左右端側部分がプラテンガラスから浮き上がった状態になったり、ガタつく原因になり、画像の読み取りが正確にできなくなるという欠点があった。これは、本等以外の凹凸のある原稿についても同じであった。
【０００４】
【課題を解決するための手段】
本発明は従来の前記課題に鑑みてこれを改良除去したものであって、本等の凹凸のある原稿でもその全体を十分な力で均等に押し付けることのできる原稿カバーを提供せんとするものである。
【０００５】
前記課題を解決するために本発明が採用した画像読取装置の原稿カバーの特徴は、請求項１に記載するとおり、画像読取装置のプラテンガラスに面して開閉可能に取り付けられた原稿カバーの下面側に、複数個の流体クッションが配設され、隣接する流体クッションは流体の移動が可能なパイプで連通接続され、当該パイプは前記原稿カバーの下面近くに配置されていることである。従って、凹凸のある本等の原稿を押さえた場合であっても、流体クッション内の流体が前記凹凸に対応して移動し、接触面の全体が均等な圧力で押し付けられるようになる。つまり、凹凸のある本等の原稿の全体を均等な力で押さえ付けることができ、画像の読み取りが良好となる。
【０００６】
しかも、本発明にあっては、原稿カバーの下面側に複数個の流体クッションを配設し、各流体クッションを連通接続している。これにより、凹凸のある原稿の必要な部分を確実に且つ均等に押さえ付けることが可能となる。
【０００７】
複数個の流体クッションは、例えば、請求項２に記載する如く、中央部と両側部との少なくとも三箇所とする。これにより、本等を見開き状態でその画像を読み取らせる場合に、本等の背表紙の部分と左右端側部分との必要な箇所を十分な力で確実に押さえ付けることが可能である。この場合、請求項３に記載する如く、中央部に設けた流体クッションの容量を、両側部に設けた流体クッションの容量よりも大きくすることが望ましい。
【０００８】
【発明の実施の形態】
以下に、本発明の構成を図面に示す発明の実施の形態に基づいて説明すると次の通りである。図１及び図２は本発明の一実施の形態に係る原稿カバー１を示すものであり、図１の図（Ａ）は底面図、同図（Ｂ）はプラテンガラス２上へ原稿カバー１を閉じた状態を示す正面図、図２は本３を見開き状態でプラテンガラス２上へ載置して原稿カバー１で押さえた状態を示す正面図である。
【０００９】
同図に示す如く、この実施の形態にあっては、原稿カバー１の下面側の中央部と両側部との三箇所に、袋状の流体クッション４〜６を配設しており、中央部の流体クッション４の容量を両側部の流体クッション５及び６の容量よりも大きくしている。これは原稿の中央部分をしっかりと押さえ付けることができるようにするためである。また両側の流体クッション５及び６と中央の流体クッション４とを、それぞれパイプ７ａ及び７ｂを介して連通接続している。これらのパイプ７ａ，７ｂは、図１（Ｂ）に示すとおり、原稿カバー１の下面近くに配置される。流体クッション４〜６は、伸縮性のある合成樹脂成形品等の材料からなり、その内部には、例えばエアーが密封されている。従って、各流体クッション４〜６内のエアーは相互に移動が自在である。
【００１０】
このように構成された原稿カバー１は、非使用状態にあっては、図１の図（Ｂ）に示すように、各流体クッション４〜６が同一の厚みを有している。このような状態から、図２に示すように、本３を見開きでプラテンガラス２上へ載置し、これを原稿カバー１で押さえ付けたとする。本３は、その背表紙の部分が最も高くなっており、両側部は最も低くなっている。そのため、最初に中央の流体クッション４が、本３の背表紙の部分の形状に沿ってこれに接合するようになる。一方、この状態では、両側の流体クッション５及び６は、本３の両側部とは接合していない。従って、原稿カバー１を押さえ付ける力により、中央の流体クッション４内のエアー圧が両側の流体クッション５及び６内のエアー圧よりも次第に高くなり、中央の流体クッション４内のエアーは、エアー圧の低い両側の流体クッション５及び６側へ移動を始める。そして、原稿カバー１の高さは次第に低くなる。
【００１１】
やがて、両側の流体クッション５及び６が本３の両側部に当接するようになり、両側の流体クッション５及び６内のエアー圧は、この当接と前記中央の流体クッション４からのエアーの移動とにより、次第に増加を始める。この増加は、全体の流体クッション４〜６内のエアー圧が均等になるまで行われ、各エアー圧が均等になるとバランスし、エアーの移動が停止する。つまり、三つの流体クッション４〜６が、本３に対して均等な圧力でこれを押さえ付けるようになる。そのため、本３はその見開きのページの全体がプラテンガラス２に十分な力で押さえ付けられるようになり、鮮明な画像の読み取りを行うことができる。
【００１２】
このように原稿カバー１の下面側に、三つの流体クッション４〜６を設けることにより、流体クッションを原稿カバー１の下面側の全面に設ける場合に比較して必要な部分のみを強く圧接することが可能である。すなわち、原稿を押さえ付ける力が十分であり、厚い本３等であっても見開きページの両端側がプラテンガラス２から浮き上がるようなことはない。
【００１３】
また本発明は上述した実施の形態に限定されるものではなく、適宜の変更が可能である。例えば、流体クッション４〜６の数や形状，配列パターン等は、三つ以外の複数個であってもよく、円形状やその他の形状及び配列パターンが可能である。更に、流体クッション４〜６内の流体は、エアー以外にも水，油，或いは粘性のあるゲル状の流体等を利用することも可能である。
【００１４】
【発明の効果】
以上説明したように本発明にあっては、画像読取装置のプラテンガラスに面して開閉可能に取り付けられた原稿カバーの下面側に複数個の流体クッションを設けると共に、隣接する流体クッションを流体の移動が可能なパイプで連通接続したから、凹凸のある本等の原稿を押さえた場合であっても、流体クッション内の流体が前記凹凸に対応して移動し、凹凸のある原稿の必要な部分を確実に且つ均等に押さえ付けることが可能である。つまり、凹凸のある原稿であっても、画像の読み取りが良好となる。
【００１５】
複数個の流体クッションを、中央部と両側部との少なくとも三箇所とした場合は、本等を見開き状態でその画像を読み取らせる場合に、本等の背表紙の部分と左右端側部分との必要な箇所を十分な力で確実に押さえ付けることが可能である。さらに、中央部の流体クッションの容量を両側部の流体クッションの容量よりも大きくした場合は、原稿の中央部分をしっかりと押さえ付けることができる。
【図面の簡単な説明】
【図１】本発明の一実施の形態に係る原稿カバーを示すものであり、図（Ａ）は底面図、図（Ｂ）は正面図である。
【図２】本発明の一実施の形態に係る原稿カバーで本を押さえ付けた場合を示す正面図である。
【符号の説明】
１…原稿カバー
２…プラテンガラス
３…本
４…中央部の流体クッション
５，６…両側部の流体クッション
７ａ，７ｂ…パイプ
【図１】
0003724158.tif 000002
【図２】
0003724158.tif 000003